(57)【要約】  いくつかの実施形態によれば、トランスポートブロックを符号化する無線通信ネットワークの無線送信機で使用する方法は、トランスポートブロックを送信するためのコードレートがＲ_threshold以下（Ｒ_thresholdは１／５と１／３との間）であると判断すると、トランスポートブロックを符号化するためのニューラジオ（ＮＲ）低密度パリティチェック（ＬＤＰＣ）のベースグラフ２を選択することを含む。それ以外の場合、方法は、トランスポートブロックのトランスポートブロックサイズ（ＴＢＳ）がサイズ閾値（Ｘ）以下かつトランスポートブロックを送信するためのコードレートが２／３以下でない限り、トランスポートブロックを符号化するためのＮＲ  ＬＤＰＣのベースグラフ１を選択することを含み、この場合、方法は、ベースグラフ２を選択することを含み得る。方法は、選択されたベースグラフを使用してトランスポートブロックを符号化することと、符号化されたトランスポートブロックを無線受信機に送信することと、をさらに含む。【選択図】図６
2020532160.tif 000002
【特許請求の範囲】
【請求項１】
トランスポートブロックを符号化する無線通信ネットワークの無線送信機で使用する方法であって、
トランスポートブロックを送信するためのコードレートがＲ_threshold以下（Ｒ_thresholdは１／５と１／３との間）であると判断すると、前記トランスポートブロックを符号化するためのニューラジオ（ＮＲ）低密度パリティチェック（ＬＤＰＣ）のベースグラフ２を選択すること（７１２）と、
それ以外の場合、前記トランスポートブロックのトランスポートブロックサイズ（ＴＢＳ）がサイズ閾値（Ｘ）以下かつ前記トランスポートブロックを送信するためのコードレートが２／３以下でない限り、前記トランスポートブロックを符号化するためのＮＲ  ＬＤＰＣのベースグラフ１を選択すること（７１２）と、
前記選択されたベースグラフを使用して前記トランスポートブロックを符号化すること（７１４）と、
前記符号化されたトランスポートブロックを無線受信機に送信すること（７１６）と、
を含む方法。
【請求項２】
前記トランスポートブロックのＴＢＳが前記サイズ閾値（Ｘ）以下かつ前記トランスポートブロックを送信するためのコードレートが２／３以下である場合、前記トランスポートブロックを符号化するためのＮＲ  ＬＤＰＣのベースグラフ２を選択すること（７１２）
請求項１に記載の方法。
【請求項３】
Ｒ_thresholdは１／４である
請求項１または２に記載の方法。
【請求項４】
サイズ閾値Ｘは３８２４ビットである
請求項１乃至３の何れか１項に記載の方法。
【請求項５】
前記ＴＢＳはパリティチェックビットを含み、サイズ閾値Ｘは３８４０ビットである
請求項１乃至３の何れか１項に記載の方法。
【請求項６】
前記トランスポートブロックの前記ＴＢＳおよび前記コードレートは、前記トランスポートブロックに関連する変調および符号化スキーム（ＭＣＳ）とＴＢＳインデックスとに基づいて決定される
請求項１乃至５の何れか１項に記載の方法。
【請求項７】
ベースグラフ１またはベースグラフ２を選択する前に、前記無線受信機により使用される制限バッファレートマッチング（ＬＢＲＭ）を決定し、ＬＢＲＭに従って前記コードレートを調整することをさらに含む
請求項１乃至６の何れか１項に記載の方法。
【請求項８】
前記無線送信機はネットワークノードを含む
請求項１乃至７の何れか１項に記載の方法。
【請求項９】
前記無線送信機は無線デバイスを含む
請求項１乃至７の何れか１項に記載の方法。
【請求項１０】
トランスポートブロックを符号化するよう動作可能な無線送信機（１１０，１２０）であって、該無線送信機は、
トランスポートブロックを送信するためのコードレートがＲ_threshold以下（Ｒ_thresholdは１／５と１／３との間）であると判断すると、前記トランスポートブロックを符号化するためのニューラジオ（ＮＲ）低密度パリティチェック（ＬＤＰＣ）のベースグラフ２を選択し、
それ以外の場合、前記トランスポートブロックのトランスポートブロックサイズ（ＴＢＳ）がサイズ閾値（Ｘ）以下かつ前記トランスポートブロックを送信するためのコードレートが２／３以下でない限り、前記トランスポートブロックを符号化するためのＮＲ  ＬＤＰＣのベースグラフ１を選択し、
前記選択されたベースグラフを使用して前記トランスポートブロックを符号化し、
前記符号化されたトランスポートブロックを無線受信機（１１０，１２０）に送信する、
よう動作可能な処理回路（１３２０，１４２０）を有する
無線送信機。
【請求項１１】
前記トランスポートブロックのＴＢＳが前記サイズ閾値（Ｘ）以下かつ前記トランスポートブロックを送信するためのコードレートが２／３以下である場合、前記トランスポートブロックを符号化するためのＮＲ  ＬＤＰＣのベースグラフ２を選択すること（７１２）
請求項１０に記載の無線送信機。
【請求項１２】
Ｒ_thresholdは１／４である
請求項１０または１１に記載の無線送信機。
【請求項１３】
サイズ閾値Ｘは３８２４ビットである
請求項１０乃至１２の何れか１項に記載の無線送信機。
【請求項１４】
前記ＴＢＳはパリティチェックビットを含み、サイズ閾値Ｘは３８４０ビットである
請求項１０乃至１２の何れか１項に記載の無線送信機。
【請求項１５】
前記トランスポートブロックの前記ＴＢＳおよび前記コードレートは、前記トランスポートブロックに関連する変調および符号化スキーム（ＭＣＳ）とＴＢＳインデックスとに基づいて決定される
請求項１０乃至１４の何れか１項に記載の無線送信機。
【請求項１６】
前記処理回路は、ベースグラフ１またはベースグラフ２を選択する前に、前記無線受信機により使用される制限バッファレートマッチング（ＬＢＲＭ）を決定し、ＬＢＲＭに従って前記コードレートを調整するようさらに動作可能である
請求項１０乃至１５の何れか１項に記載の無線送信機。
【請求項１７】
前記無線送信機はネットワークノードを含む
請求項１０乃至１６の何れか１項に記載の無線送信機。
【請求項１８】
前記無線送信機は無線デバイスを含む
請求項１０乃至１６の何れか１項に記載の無線送信機。
【請求項１９】
トランスポートブロックを復号する無線通信ネットワークの無線受信機で使用する方法であって、
符号化されたトランスポートブロックを無線送信機から受信すること（８１２）と、
前記トランスポートブロックを受信するためのコードレートがＲ_threshold以下（Ｒ_thresholdは１／５と１／３との間）であると判断すると、前記受信されたトランスポートブロックを復号するためのニューラジオ（ＮＲ）低密度パリティチェック（ＬＤＰＣ）のベースグラフ２を選択すること（８１４）と、
それ以外の場合、前記トランスポートブロックのトランスポートブロックサイズ（ＴＢＳ）がサイズ閾値（Ｘ）以下かつ前記トランスポートブロックを送信するためのコードレートが２／３以下でない限り、前記トランスポートブロックを復号するためのＮＲ  ＬＤＰＣのベースグラフ１を選択すること（８１４）と、
前記選択されたベースグラフを使用して前記トランスポートブロックを復号すること（８１６）と、
を含む方法。
【請求項２０】
前記トランスポートブロックのＴＢＳが前記サイズ閾値（Ｘ）以下かつ前記トランスポートブロックを送信するためのコードレートが２／３以下である場合、前記トランスポートブロックを復号するためのＮＲ  ＬＤＰＣのベースグラフ２を選択すること（７１２）
請求項１９に記載の方法。
【請求項２１】
Ｒ_thresholdは１／４である
請求項１９または２０に記載の方法。
【請求項２２】
サイズ閾値Ｘは３８２４ビットである
請求項１９乃至２１の何れか１項に記載の方法。
【請求項２３】
前記ＴＢＳはパリティチェックビットを含み、サイズ閾値Ｘは３８４０ビットである
請求項１９乃至２１の何れか１項に記載の方法。
【請求項２４】
前記トランスポートブロックの前記ＴＢＳおよび前記コードレートは、前記トランスポートブロックに関連する変調および符号化スキーム（ＭＣＳ）とＴＢＳインデックスとに基づいて決定される
請求項１９乃至２３の何れか１項に記載の方法。
【請求項２５】
ベースグラフ１またはベースグラフ２を選択する前に、前記無線受信機により使用される制限バッファレートマッチング（ＬＢＲＭ）を決定し、ＬＢＲＭに従って前記コードレートを調整することをさらに含む
請求項１９乃至２４の何れか１項に記載の方法。
【請求項２６】
前記無線受信機はネットワークノードを含む
請求項１９乃至２５の何れか１項に記載の方法。
【請求項２７】
前記無線受信機は無線デバイスを含む
請求項１９乃至２５の何れか１項に記載の方法。
【請求項２８】
トランスポートブロックを復号するよう動作可能な無線受信機（１１０，１２０）であって、該無線受信機は、
符号化されたトランスポートブロックを無線送信機（１１０，１２０）から受信し、
前記トランスポートブロックを受信するためのコードレートがＲ_threshold以下（Ｒ_thresholdは１／５と１／３との間）であると判断すると、前記トランスポートブロックを復号するためのニューラジオ（ＮＲ）低密度パリティチェック（ＬＤＰＣ）のベースグラフ２を選択し、
それ以外の場合、前記トランスポートブロックのトランスポートブロックサイズ（ＴＢＳ）がサイズ閾値（Ｘ）以下かつ前記トランスポートブロックを送信するためのコードレートが２／３以下でない限り、前記トランスポートブロックを復号するためのＮＲ  ＬＤＰＣのベースグラフ１を選択し、
前記選択されたベースグラフを使用して前記トランスポートブロックを復号する、
よう動作可能な処理回路（１３２０，１４２０）を有する
無線受信機。
【請求項２９】
前記トランスポートブロックのＴＢＳが前記サイズ閾値（Ｘ）以下かつ前記トランスポートブロックを送信するためのコードレートが２／３以下である場合、前記トランスポートブロックを復号するためのＮＲ  ＬＤＰＣのベースグラフ２を選択すること（８１４）
請求項２８に記載の無線受信機。
【請求項３０】
Ｒ_thresholdは１／４である
請求項２８または２９に記載の無線受信機。
【請求項３１】
サイズ閾値Ｘは３８２４ビットである
請求項２８乃至３０の何れか１項に記載の無線受信機。
【請求項３２】
前記ＴＢＳはパリティチェックビットを含み、サイズ閾値Ｘは３８４０ビットである
請求項２８乃至３０の何れか１項に記載の無線受信機。
【請求項３３】
前記トランスポートブロックの前記ＴＢＳおよび前記コードレートは、前記トランスポートブロックに関連する変調および符号化スキーム（ＭＣＳ）とＴＢＳインデックスとに基づいて決定される
請求項２８乃至３２の何れか１項に記載の無線受信機。
【請求項３４】
前記処理回路は、ベースグラフ１またはベースグラフ２を選択する前に、前記無線受信機により使用される制限バッファレートマッチング（ＬＢＲＭ）を決定し、ＬＢＲＭに従って前記コードレートを調整するようさらに動作可能である
請求項２８乃至３３の何れか１項に記載の無線受信機。
【請求項３５】
前記無線送信機はネットワークノードを含む
請求項２８乃至３４の何れか１項に記載の無線受信機。
【請求項３６】
前記無線送信機は無線デバイスを含む
請求項２８乃至３４の何れか１項に記載の無線受信機。
【請求項３７】
トランスポートブロックを符号化するよう動作可能な無線送信機（１１０，１２０）であって、該無線送信機は、符号化モジュール（１３５０，１４５０）と送信モジュール（１３５２，１４５２）と、を含み、
前記符号化モジュールは、
トランスポートブロックを送信するためのコードレートがＲ_threshold以下（Ｒ_thresholdは１／５と１／３との間）であると判断すると、前記トランスポートブロックを復号するためのニューラジオ（ＮＲ）低密度パリティチェック（ＬＤＰＣ）のベースグラフ２を選択し、
それ以外の場合、前記トランスポートブロックのトランスポートブロックサイズ（ＴＢＳ）がサイズ閾値（Ｘ）以下かつ前記トランスポートブロックを送信するためのコードレートが２／３以下でない限り、前記トランスポートブロックを復号するためのＮＲ  ＬＤＰＣのベースグラフ１を選択し、
前記選択されたベースグラフを使用して前記トランスポートブロックを符号化する、
よう動作可能であり、
前記送信モジュールは、前記符号化されたトランスポートブロックを無線受信機（１１０，１２０）に送信する、
よう動作可能である
無線送信機。
【請求項３８】
トランスポートブロックを復号するよう動作可能な無線受信機（１１０，１２０）であって、該無線受信機は、復号モジュール（１３５４，１４５４）と受信モジュール（１３５６，１４５６）と、を含み、
前記受信モジュールは、符号化されたトランスポートブロックを無線送信機（１１０，１２０）から受信する、
よう動作可能であり、
前記復号モジュールは、
前記トランスポートブロックを受信するためのコードレートがＲ_threshold以下（Ｒ_thresholdは１／５と１／３との間）であると判断すると、前記トランスポートブロックを復号するためのニューラジオ（ＮＲ）低密度パリティチェック（ＬＤＰＣ）のベースグラフ２を選択し、
それ以外の場合、前記トランスポートブロックのトランスポートブロックサイズ（ＴＢＳ）がサイズ閾値（Ｘ）以下かつ前記トランスポートブロックを送信するためのコードレートが２／３以下でない限り、前記トランスポートブロックを復号するためのＮＲ  ＬＤＰＣのベースグラフ１を選択し、
前記選択されたベースグラフを使用して前記トランスポートブロックを復号する、
よう動作可能である
無線受信機。
【発明の詳細な説明】
【技術分野】
【０００１】
特定の実施形態は無線通信に関し、より具体的にはニューラジオ（ＮＲ）のベースグラフ番号２（ＢＧ２）のコードブロックセグメンテーションに関する。
【背景技術】
【０００２】
第３世代パートナーシッププロジェクト（３ＧＰＰ）は、ニューラジオ（ＮＲ）を含む第５世代（５Ｇ）の無線通信を定義している。ＮＲは、低密度パリティチェック（ＬＤＰＣ）コードの２つのセットを使用する。一方のＬＤＰＣコードは、おおよそ８／９から１／３までのコードレートと最大で８４４８のブロック長に対して設計されている（ベースグラフ＃１、ＢＧ＃１またはＢＧ１とも呼ばれる）。他方のＬＤＰＣコードは、おおよそ２／３〜１／５のコードレートと最大で３８４０のブロック長に対して設計されている（ベースグラフ＃２、ＢＧ＃２またはＢＧ２とも呼ばれる）。設計されたレートよりも低いレートでＬＤＰＣコードが使用される場合、繰り返しとチェース結合を使用して、より低いコードレートを実現できる。
【０００３】
ベースグラフ＃１は、コードブロックサイズ（ＣＢＳ）がＸより大きい場合、または初期送信のコードレートがＹより大きい場合に、初期送信および同じトランスポートブロック（ＴＢ）のその後の再送信に使用される。＃２は、ＣＢＳがＸ以下で、初期送信のコードレートがＹ以下である場合に、初期送信および同じＴＢのその後の再送信に使用される。Ｘは、最初の設計基準に従って２５６０に等しくなり得、またはベースグラフ＃２が定義されている最大ＣＢＳである３８４０まで拡張され得る。Ｙは０．６７に等しく、０．７５まで拡張され得る。
【０００４】
３ＧＰＰで議論されている提案の１つは、コードレートＲ＜１／３に対するものであり、最大コードブロックサイズはＫcb＝３８４０でありＢＧ２が使用される。Ｋcbより大きいＴＢサイズ（ＴＢＳ）の場合、コードブロックの数は、ＴＢをＫcb＝３８４０以下のコードブロックにセグメンテーションすることによって決定される。
【０００５】
この提案を言い換える別の方法は、ＣＢＳ≦Ｘおよび初期送信のコードレート≦２／３の場合に、初期送信および同じＴＢのその後の再送信にＢＧ２が使用されることである。ＢＧ２は、すべてのＴＢＳでコードレートが１／３未満の初期送信に使用される。
【０００６】
この提案の問題は、１／３未満のレートに対してＢＧ２が選択されることである。１／３未満のコードレートと３８４０を超えるＴＢＳの組み合わせの場合、ＢＧ１で使用される繰り返しの部分が少ないことおよびＢＧ２を使用するときに必要なコードブロックセグメンテーションにより、ＢＧ１はＢＧ２よりも優れたパフォーマンスを発揮する。一例が図１に示される。
【０００７】
図１は、ベースグラフのパフォーマンスを示すグラフである。Ｋは、ＴＢＳと追加されたＣＲＣビットを示す。複数の正方形の点線の曲線はＢＧ２を使用したパフォーマンスであり、複数の円を有する実線はＢＧ１を使用したパフォーマンスである。
【発明の概要】
【０００８】
本明細書に記載の実施形態は、Ｘ（例えば、Ｘ＝３８４０）より大きいトランスポートブロックサイズ（ＴＢＳ）に対して、任意のコードレートＲ＜１／３に対してベースグラフ番号２（ＢＧ２）を選択する代わりに、Ｒ＜Ｒ_threshold（ここでＲ_thresholdは１／５＜Ｒ_threshold＜１／３の範囲内（たとえば、１／４）である）の場合ＢＧ２を選択する。
【０００９】
いくつかの実施形態によれば、トランスポートブロックを符号化する無線送信機で使用する方法は、トランスポートブロックを送信するためのコードレートがＲ_threshold以下（Ｒ_thresholdは１／５と１／３との間）であると判断すると、前記トランスポートブロックを符号化するためのニューラジオ（ＮＲ）低密度パリティチェック（ＬＤＰＣ）のベースグラフ２を選択することを含む。それ以外の場合、前記方法は、前記トランスポートブロックのＴＢＳがサイズ閾値（Ｘ）以下かつ前記トランスポートブロックを送信するためのコードレートが２／３以下（この場合、前記方法は、ベースグラフ２を選択することを含み得る）でない限り、前記トランスポートブロックを符号化するためのＮＲ  ＬＤＰＣのベースグラフ１を選択することを含む。前記方法は、前記選択されたベースグラフを使用して前記トランスポートブロックを符号化することと、前記符号化されたトランスポートブロックを無線受信機に送信することと、をさらに含む。
【００１０】
特定の実施形態では、前記方法は、ベースグラフ１またはベースグラフ２を選択する前に、前記無線受信機により使用される制限バッファレートマッチング（ＬＢＲＭ）を決定し、ＬＢＲＭに従って前記コードレートを調整することをさらに含む。
【００１１】
いくつかの実施形態によれば、無線送信機は、トランスポートブロックを符号化するよう動作可能である。前記無線送信機は、トランスポートブロックを送信するためのコードレートがＲ_threshold以下（Ｒ_thresholdは１／５と１／３との間）であると判断すると、前記トランスポートブロックを符号化するためのＮＲ  ＬＤＰＣのベースグラフ２を選択するよう動作可能な処理回路を有する。それ以外の場合、前記処理回路は、前記トランスポートブロックのＴＢＳがサイズ閾値（Ｘ）以下かつ前記トランスポートブロックを送信するためのコードレートが２／３以下（この場合、前記処理回路は、ベースグラフ２を選択し得る）でない限り、前記トランスポートブロックを符号化するためのＮＲ  ＬＤＰＣのベースグラフ１を選択する。前記処理回路は、前記選択されたベースグラフを使用して前記トランスポートブロックを符号化し、前記符号化されたトランスポートブロックを無線受信機に送信するようさらに動作可能である。
【００１２】
特定の実施形態では、前記処理回路は、ベースグラフ１またはベースグラフ２を選択する前に、前記無線受信機により使用されるＬＢＲＭを決定し、ＬＢＲＭに従って前記コードレートを調整するようさらに動作可能である。
【００１３】
特定の実施形態では、Ｒ_thresholdは１／４である。サイズ閾値Ｘは３８２４ビットであり得、または、前記ＴＢＳがパリティチェックビットを含む場合、サイズ閾値Ｘは３８４０ビットであり得る。前記トランスポートブロックの前記ＴＢＳおよび前記コードレートは、前記トランスポートブロックに関連する変調および符号化スキーム（ＭＣＳ）とＴＢＳインデックスとに基づいて決定され得る。
【００１４】
特定の実施形態では、前記無線送信機は、ネットワークノード、または、ユーザ装置のような無線デバイスを含み得る。
【００１５】
いくつかの実施形態によれば、トランスポートブロックを復号する無線通信ネットワークの無線受信機で使用する方法は、符号化されたトランスポートブロックを無線送信機から受信することを含む。前記トランスポートブロックを受信するためのコードレートがＲ_threshold以下（Ｒ_thresholdは１／５と１／３との間）であると判断すると、前記方法は、前記受信されたトランスポートブロックを復号するためのＮＲ  ＬＤＰＣのベースグラフ２を選択することを含む。それ以外の場合、前記方法は、前記トランスポートブロックのＴＢＳがサイズ閾値（Ｘ）以下かつ前記トランスポートブロックを送信するためのコードレートが２／３以下（この場合、前記方法は、ベースグラフ２を選択することを含み得る）でない限り、前記トランスポートブロックを復号するためのＮＲ  ＬＤＰＣのベースグラフ１を選択することを含む。前記方法は、前記選択されたベースグラフを使用して前記トランスポートブロックを復号することをさらに含む。
【００１６】
特定の実施形態では、前記方法は、ベースグラフ１またはベースグラフ２を選択する前に、前記無線受信機により使用される制限バッファレートマッチング（ＬＢＲＭ）を決定し、ＬＢＲＭに従って前記コードレートを調整することをさらに含む。
【００１７】
いくつかの実施形態によれば、無線受信機は、トランスポートブロックを復号するよう動作可能である。前記無線受信機は、符号化されたトランスポートブロックを無線送信機から受信するよう動作可能な処理回路を有する。前記トランスポートブロックを受信するためのコードレートがＲ_threshold以下（Ｒ_thresholdは１／５と１／３との間）であると判断すると、前記トランスポートブロックを復号するためのＮＲ  ＬＤＰＣのベースグラフ２を選択する。それ以外の場合、前記処理回路は、前記トランスポートブロックのＴＢＳがサイズ閾値（Ｘ）以下かつ前記トランスポートブロックを送信するためのコードレートが２／３以下（この場合、前記処理回路は、ベースグラフ２を選択し得る）でない限り、前記トランスポートブロックを復号するためのＮＲ  ＬＤＰＣのベースグラフ１を選択するよう動作可能である。前記処理回路は、前記選択されたベースグラフを使用して前記トランスポートブロックを復号するようさらに動作可能である。
【００１８】
特定の実施形態では、前記処理回路は、ベースグラフ１またはベースグラフ２を選択する前に、前記無線受信機により使用されるＬＢＲＭを決定し、ＬＢＲＭに従って前記コードレートを調整するようさらに動作可能である。
【００１９】
特定の実施形態では、Ｒ_thresholdは１／４である。サイズ閾値Ｘは３８２４ビットであり得、または、前記ＴＢＳがパリティチェックビットを含む場合、サイズ閾値Ｘは３８４０ビットであり得る。前記トランスポートブロックの前記ＴＢＳおよび前記コードレートは、前記トランスポートブロックに関連するＭＣＳとＴＢＳインデックスとに基づいて決定され得る。
【００２０】
特定の実施形態では、前記無線受信機は、ネットワークノード、または、ユーザ装置のような無線デバイスを含み得る。
【００２１】
いくつかの実施形態によれば、無線送信機は、トランスポートブロックを符号化するよう動作可能である。前記無線送信機は、符号化モジュールと送信モジュールと、を含む。前記符号化モジュールは、トランスポートブロックを送信するためのコードレートがＲ_threshold以下（Ｒ_thresholdは１／５と１／３との間）であると判断すると、前記トランスポートブロックを復号するためのＮＲ  ＬＤＰＣのベースグラフ２を選択するよう動作可能である。それ以外の場合、前記符号化モジュールは、前記トランスポートブロックのトランスポートブロックサイズ（ＴＢＳ）がサイズ閾値（Ｘ）以下かつ前記トランスポートブロックを送信するためのコードレートが２／３以下でない限り、前記トランスポートブロックを復号するためのＮＲ  ＬＤＰＣのベースグラフ１を選択する。前記符号化モジュールは、前記選択されたベースグラフを使用して前記トランスポートブロックを符号化するようさらに動作可能である。前記送信モジュールは、前記符号化されたトランスポートブロックを無線受信機に送信するよう動作可能である。
【００２２】
いくつかの実施形態によれば、無線受信機は、トランスポートブロックを復号するよう動作可能である。前記無線受信機は、復号モジュールと受信モジュールと、を含む。前記受信モジュールは、符号化されたトランスポートブロックを無線送信機から受信するよう動作可能である。前記復号モジュールは、前記トランスポートブロックを受信するためのコードレートがＲ_threshold以下（Ｒ_thresholdは１／５と１／３との間）であると判断すると、前記トランスポートブロックを復号するためのＮＲ  ＬＤＰＣのベースグラフ２を選択するよう動作可能である。それ以外の場合、前記復号モジュールは、前記トランスポートブロックのＴＢＳがサイズ閾値（Ｘ）以下かつ前記トランスポートブロックを送信するためのコードレートが２／３以下でない限り、前記トランスポートブロックを復号するためのＮＲ  ＬＤＰＣのベースグラフ１を選択するよう動作可能である。前記復号モジュールは、前記選択されたベースグラフを使用して前記トランスポートブロックを復号するようさらに動作可能である。
【００２３】
また、コンピュータプログラム製品も開示される。前記コンピュータプログラム製品は、プロセッサによって実行されたとき、トランスポートブロックを送信するためのコードレートがＲ_threshold以下（Ｒ_thresholdは１／５と１／３との間）であると判断すると、前記トランスポートブロックを符号化するためのＮＲ  ＬＤＰＣのベースグラフ２を選択するステップを実行する、非一時的なコンピュータ可読媒体に格納された命令を含む。それ以外の場合、前記命令は、前記トランスポートブロックのＴＢＳがサイズ閾値（Ｘ）以下かつ前記トランスポートブロックを送信するためのコードレートが２／３以下（この場合、前記命令は、ベースグラフ２を選択することを含み得る）でない限り、前記トランスポートブロックを符号化するためのＮＲ  ＬＤＰＣのベースグラフ１を選択するステップを実行する。前記命令は、前記選択されたベースグラフを使用して前記トランスポートブロックを符号化するステップと、前記符号化されたトランスポートブロックを無線受信機に送信するステップと、をさらにするよう動作可能である。
【００２４】
別のコンピュータプログラム製品は、プロセッサによって実行されたとき、符号化されたトランスポートブロックを無線送信機から受信するステップを実行する、非一時的なコンピュータ可読媒体に格納された命令を含む。前記トランスポートブロックを受信するためのコードレートがＲ_threshold以下（Ｒ_thresholdは１／５と１／３との間）であると判断すると、前記命令は、前記受信されたトランスポートブロックを復号するためのＮＲ  ＬＤＰＣのベースグラフ２を選択するステップを実行する。それ以外の場合、前記命令は、前記トランスポートブロックのＴＢＳがサイズ閾値（Ｘ）以下かつ前記トランスポートブロックを送信するためのコードレートが２／３以下（この場合、前記命令は、ベースグラフ２を選択することを含み得る）でない限り、前記トランスポートブロックを復号するためのＮＲ  ＬＤＰＣのベースグラフ１を選択するステップを実行する。前記命令は、前記選択されたベースグラフを使用して前記トランスポートブロックを復号するステップをさらに実行し得る。
【００２５】
特定の実施形態は、以下の利点の一部または全部を含むか、または全く含まない場合がある。たとえば、１／３未満のコードレートでＢＧ２の使用を避けることにより、ＢＧ２の低い設計レートにより十分な符号化利得があり、追加のコードブロックセグメンテーションによる損失と短いコードブロック長によるパフォーマンスの低下を補うことができる。最適化されたＲ_threshold（シミュレーションで最適化され得る）を使用すると、ＢＧ１のパフォーマンスが向上するコードレートとブロック長の特定の場合にＢＧ２を使用することを回避でき、大幅なパフォーマンス利得がある場合にのみＢＧ２を使用することが出来る。
【図面の簡単な説明】
【００２６】
実施形態ならびにそれらの特徴および利点をより完全に理解するために、添付の図面と併せて以下の説明を参照する。
【００２７】
【図１】ベースグラフのパフォーマンスを示すグラフである。
【図２】特定の実施形態による例示的な無線ネットワークを示すブロック図である。
【図３】いくつかの実施形態によるベースグラフのパフォーマンスを示すグラフである。
【図４】いくつかの実施形態によるベースグラフのパフォーマンスを示すグラフである。
【図５】いくつかの実施形態によるベースグラフのパフォーマンスを示すグラフである。
【図６】特定の実施形態によるベースグラフを選択するための例示的な方法を示すフロー図である。
【図７】無線送信機における例示的な方法を示すフロー図である。
【図８】無線受信機における例示的な方法を示すフロー図である。
【図９Ａ】無線デバイスの例示的な実施形態を示すブロック図である。
【図９Ｂ】無線デバイスの例示的な構成要素を示すブロック図である。
【図１０Ａ】ネットワークノードの例示的な実施形態を示すブロック図である。
【図１０Ｂ】ネットワークノードの例示的な構成要素を示すブロック図である。
【発明を実施するための形態】
【００２８】
第３世代パートナーシッププロジェクト（３ＧＰＰ）は、ニューラジオ（ＮＲ）を含む第５世代（５Ｇ）の無線通信を定義している。ＮＲは、低密度パリティチェック（ＬＤＰＣ）コードの２つのセットを使用する。一方のＬＤＰＣコードは、おおよそ８／９から１／３までのコードレートと最大で８４４８のブロック長に対して設計されている（ベースグラフ＃１、ＢＧ＃１またはＢＧ１とも呼ばれる）。他方のＬＤＰＣコードは、おおよそ２／３〜１／５のコードレートと最大で３８４０のブロック長に対して設計されている（ベースグラフ＃２、ＢＧ＃２またはＢＧ２とも呼ばれる）。設計されたレートよりも低いレートでＬＤＰＣコードが使用される場合、繰り返しとチェース結合を使用して、より低いコードレートを実現できる。
【００２９】
３ＧＰＰで議論されている提案の１つは、コードレートＲ＜１／３に対するものであり、設計コードレートが低いためＢＧ２が使用され、最大コードブロックサイズはＫcb＝３８４０である。Ｋcbより大きいトランスポートブロックサイズ（ＴＢＳ）の場合、コードブロックの数は、ＴＢをＫcb＝３８４０以下のコードブロックにセグメンテーションすることによって決定される。
【００３０】
この提案の問題は、１／３未満のレートに対してＢＧ２が選択されることである。１／３未満のコードレートと３８４０を超えるＴＢＳの組み合わせの場合、ＢＧ１で使用される繰り返しの部分が少ないことおよびＢＧ２を使用するときに必要なコードブロックセグメンテーションにより、ＢＧ１はＢＧ２よりも優れたパフォーマンスを発揮する。
【００３１】
本明細書で説明する実施形態は、上記の問題を回避し、Ｘより大きいＴＢＳ（例えば、Ｘ＝３８４０）について、任意のコードレートＲ＜１／３に対してＢＧ２を選択する代わりに、Ｒ＜Ｒ_threshold（Ｒ_thresholdは、１／５＜Ｒ_threshold＜１／３の範囲（例えば１／４））である場合にＢＧ２を選択することを含む。１／３未満のコードレートでＢＧ２を使用することを避けることにより、ＢＧ２の低い設計レートにより十分な符号化利得があり、追加のコードブロックセグメンテーションによる損失と短いコードブロック長によるパフォーマンスの低下を補うことができる。最適化されたＲ_threshold（シミュレーションで最適化され得る）を使用すると、ＢＧ１のパフォーマンスが向上するコードレートとブロック長の特定の場合にＢＧ２を使用することを回避でき、大幅なパフォーマンス利得がある場合にのみＢＧ２を使用することが出来る。
【００３２】
以下の説明では、多くの具体的な詳細を説明する。しかしながら、実施形態はこれらの特定の詳細なしで実施され得ることが理解される。他の例では、この説明の理解を不明瞭にしないために、周知の回路、構造、および技術は詳細に示されていない。含まれる説明を用いて、当業者は、過度の実験なしに適切な機能を実装することができるであろう。
【００３３】
本明細書における「ある実施形態(one embodiment)」、「１つの実施形態(an embodiment)」、「例示実施形態(an example embodiment)」などへの言及は、記載された実施形態が特定の特徴、構造、または特性を含み得ることを示すが、すべての実施形態が必ずしも特定の特徴、構造、または特性を含むとは限らない。さらに、そのようなフレーズは、必ずしも同じ実施形態を指すとは限らない。さらに、特定の特徴、構造、または特性が実施形態に関連して説明されている場合、明示的に説明されているかどうかにかかわらず、他の実施形態に関連してそのような特性、構造、または特性を実装することは、当業者の知識の範囲内である。
【００３４】
特定の実施形態は、図２〜図１０Ｂを参照して説明されており、様々な図面の同様の部分および対応する部分には同様の数字が使用されている。ＬＴＥおよびＮＲは、本開示全体を通して例示的なセルラーシステムとして使用されているが、本明細書で提示される概念は、他の無線通信システムにも同様に適用され得る。
【００３５】
図２は、特定の実施形態による例示的な無線ネットワークを示すブロック図である。無線ネットワーク１００は、１つ以上の無線デバイス１１０（携帯電話、スマートフォン、ラップトップコンピュータ、タブレットコンピュータ、ＭＴＣデバイス、または無線通信を提供できる任意の他のデバイスなど）および複数のネットワークノード１２０（基地局、ｅＮｏｄｅＢ、ｇＮＢなどなど）を含む。無線デバイス１１０は、ＵＥとも呼ばれ得る。ネットワークノード１２０は、カバレッジエリア１１５（セル１１５とも呼ばれる）にサービスを提供する。
【００３６】
一般に、ネットワークノード１２０のカバレッジ内にある（例えば、ネットワークノード１２０によってサービスされるセル１１５内にある）無線デバイス１１０は、無線信号１３０を送受信することによりネットワークノード１２０と通信する。例えば、無線デバイス１１０とネットワークノード１２０は、音声トラフィック、データトラフィック、および／または制御信号を含む無線信号１３０を通信する。音声トラフィック、データトラフィック、および／または制御信号を無線デバイス１１０に通信するネットワークノード１２０は、無線デバイス１１０のサービングネットワークノード１２０と呼ばれ得る。無線デバイス１１０とネットワークノード１２０との間の通信は、セルラー通信と呼ばれ得る。無線信号１３０は、（ネットワークノード１２０から無線デバイス１１０への）ダウンリンク送信と（無線デバイス１１０からネットワークノード１２０への）アップリンク送信の両方を含み得る。
【００３７】
各ネットワークノード１２０は、信号１３０を無線デバイス１１０に送信するための単一の送信機または複数の送信機を有し得る。いくつかの実施形態では、ネットワークノード１２０は、多入力多出力（ＭＩＭＯ）システムを含み得る。無線信号１３０は、１つ以上のビームを含み得る。特定のビームは、特定の方向にビームフォーミングされ得る。各無線デバイス１１０は、ネットワークノード１２０または他の無線デバイス１１０から信号１３０を受信するための単一の受信機または複数の受信機を有し得る。無線デバイス１１０は、無線信号１３０を含む１つ以上のビームを受信し得る。
【００３８】
無線信号１３０は、時間−周波数リソースで送信され得る。時間−周波数リソースは、無線フレーム、サブフレーム、スロット、および／またはミニスロットに分割され得る。ネットワークノード１２０は、サブフレーム／スロット／ミニスロットをアップリンク、ダウンリンク、またはアップリンクとダウンリンクの組み合わせとして動的にスケジュールし得る。異なる無線信号１３０は、異なる送信処理時間を含み得る。
【００３９】
ネットワークノード１２０は、ＬＴＥスペクトルなどのライセンス周波数スペクトルで動作し得る。ネットワークノード１２０はまた、５ＧＨｚのＷｉ−Ｆｉスペクトルなどのアンライセンス周波数スペクトルで動作し得る。アンライセンス周波数スペクトルでは、ネットワークノード１２０は、ＩＥＥＥ８０２．１１アクセスポイントや端末などの他のデバイスと共存し得る。アンライセンススペクトルを共有するために、ネットワークノード１２０は、無線信号１３０を送信または受信する前にリッスンビフォアトーク（ＬＢＴ）プロトコルを実行し得る。無線デバイス１１０は、ライセンスまたはアンライセンススペクトルの一方または両方で動作し得、いくつかの実施形態では無線信号１３０を送信する前にＬＢＴを実行し得る。ネットワークノード１２０と無線デバイス１１０の両方は、ライセンス共有スペクトルでも動作し得る。
【００４０】
例えば、ネットワークノード１２０ａは、ライセンススペクトルで動作し得、ネットワークノード１２０ｂは、アンライセンススペクトルで動作し得る。無線デバイス１１０は、ライセンススペクトルおよびアンライセンススペクトルの両方で動作し得る。特定の実施形態では、ネットワークノード１２０ａおよび１２０ｂは、ライセンススペクトル、アンライセンススペクトル、ライセンス共有スペクトル、または任意の組み合わせで動作するように構成可能であり得る。セル１１５ｂのカバレッジエリアは、セル１１５ａのカバレッジエリアに含まれるように示されているが、特定の実施形態では、セル１１５ａおよび１１５ｂのカバレッジエリアは部分的に重なり合うか、まったく重なり合わない。
【００４１】
特定の実施形態では、無線デバイス１１０およびネットワークノード１２０は、キャリアアグリゲーションを実行し得る。例えば、ネットワークノード１２０ａは、無線デバイス１１０をＰＣｅｌｌとしてサービスし、ネットワークノード１２０ｂは、無線デバイス１１０をＳＣｅｌｌとしてサービスし得る。ネットワークノード１２０は、自己スケジューリングまたはクロススケジューリングを実行し得る。ネットワークノード１２０ａがライセンススペクトルで動作し、ネットワークノード１２０ｂがアンライセンススペクトルで動作している場合、ネットワークノード１２０ａはアンライセンススペクトルへのライセンスアシストアクセスを提供し得る（つまり、ネットワークノード１２０ａはＬＡＡのＰＣｅｌｌであり、ネットワークノード１２０ｂはＬＡＡのＳＣｅｌｌである）。
【００４２】
特定の実施形態では、無線信号１３０は、低密度パリティチェック（ＬＤＰＣ）コードを使用して符号化され得る。無線信号１３０を符号化および復号するために、２つのベースグラフのうちの１つが選択され得る。無線デバイス１１０またはネットワークノード１２０は、以下で説明する実施形態または例のいずれかに従ってベースグラフを選択し得る。ベースグラフの選択については、図３〜８を参照して以下で詳しく説明する。
【００４３】
無線ネットワーク１００では、各ネットワークノード１２０は、ロングタームエボリューション（ＬＴＥ）、ＬＴＥアドバンスト、ＵＭＴＳ、ＨＳＰＡ、ＧＳＭ、ｃｄｍａ２０００、ＮＲ、ＷｉＭａｘ、ＷｉＦｉ、および／または他の適切な無線アクセス技術など、任意の適切な無線アクセス技術を使用し得る。無線ネットワーク１００は、１つ以上の無線アクセス技術の任意の適切な組み合わせを含み得る。例として、特定の無線アクセス技術のコンテキスト内でさまざまな実施形態が説明され得る。しかしながら、本開示の範囲はこれらの例に限定されず、他の実施形態は異なる無線アクセス技術を使用し得る。
【００４４】
上述のように、無線ネットワークの実施形態は、１つ以上の無線デバイスと、無線デバイスと通信することができる１つ以上の異なるタイプの無線ネットワークノードを含み得る。ネットワークは、無線デバイス間または無線デバイスと別の通信デバイス（固定電話など）間の通信をサポートするのに適した追加の要素も含み得る。無線デバイスは、ハードウェアおよび／またはソフトウェアの任意の適切な組み合わせを含み得る。例えば、特定の実施形態では、無線デバイス１１０などの無線デバイスは、図９Ａに関して以下で説明されるコンポーネントを含み得る。同様に、ネットワークノードは、ハードウェアおよび／またはソフトウェアの任意の適切な組み合わせを含み得る。例えば、特定の実施形態では、ネットワークノード１２０などのネットワークノードは、図１０Ａに関して以下で説明されるコンポーネントを含み得る。
【００４５】
上述のように、ＢＧ１の最大情報ブロック長はＫmax1＝８４４８である。ＢＧ２の最大情報ブロック長はＫmax2＝３８４０である。
【００４６】
ＢＧ１を使用して長いトランスポートブロック（ＴＢ）を送信する場合、トランスポートブロックと追加され得るフィラービットおよびＣＲＣビットは、８４４８以下のサイズの複数のコードブロック（ＣＢ）に分割される。ＢＧ２を使用する場合、ＴＢは３８４０以下のサイズのＣＢに分割される。
【００４７】
ＢＧ２はＢＧ１よりも低い最小コードレート用に設計されているため、低いコードレートに対してＢＧ２を使用すると有利である。ＢＧ２はコードレートＲmin2＝１／５までのコード拡張を使用するが、ＢＧ１はＲmin1＝１／３までのコード拡張のみを使用する。Ｒ＝１／５の送信では、ＢＧ１の代わりにＢＧ２を使用することで、大幅な符号化利得が実現できる。
【００４８】
ただし、最大情報ブロック長が短いＢＧ２を使用してコードブロックセグメンテーションを実行すると、少なくとも２つの問題が発生する。（１）ブロック長が短い場合のパフォーマンスは、ブロック長が長い場合よりも劣る。（２）より小さいコードブロックを使用すると、１つのトランスポートブロックの送信に使用されるコードブロックの数が増加する。各コードの送信は独立したイベントであるという仮定の下で、トランスポートブロックのブロックエラーレート（ＢＬＥＲ）は、ＢＬＥＲ（ＴＢ）＝１−（１−１個のＣＢに対するＣＢ）＾Ｎとして計算でき、Ｎはトランスポートブロックが分割されるコードブロックの数である。
【００４９】
問題１および２に加えて、ＢＧ２を使用すると、コードブロックに付加される巡回冗長検査（ＣＲＣ）ビットの総数が増加し得る。これは、コードブロックの数が増加し、コードブロックサイズに関係なく各コードブロックに同じ数のＣＲＣビットが付加されるためである。ただし、パフォーマンスの観点からの余分なＣＲＣビットの影響は、問題１および２と比較すると軽微であるため、以下の説明および例では無視される。
【００５０】
シミュレーションは、コード拡張による符号化利得の利点と上記の欠点１）および２）の両方の影響を示している。以下の例１は、初期送信のコードレートが１／３未満の場合にＢＧ２を使用してコードブロックセグメンテーションを実行する現在の提案が実際にパフォーマンスの低下をもたらすシナリオを示している。結果が図３に示される。
【００５１】
図３は、いくつかの実施形態による、ＴＢＳ＝３８６０およびＲ＝０．３２についてのＢＧ１とＢＧ２との間のベースグラフパフォーマンス比較を示すグラフである。例１では、Ｋは３８６０、Ｒは０．３２である。グラフは、Ｋ＝３８６０およびＲ＝０．３２のＢＧ１のＢＬＥＲと、Ｋ＝３８６０／２およびＲ＝０．３２のＢＧ２のＢＬＥＲと、を示している。Ｋ＝１９３０で２つのコードブロックを連結してＫ＝３８６０を達成するためのＢＬＥＲは、ＢＬＥＲ（２個のＣＢ）＝１−（１−ＢＬＥＲ（１個のＣＢ））＾２で計算され、ＢＬＥＲ（１個のＣＢ）は２で与えられる。ＢＬＥＲ（２個のＣＢ）は、ＴＢが３８６０である場合のＢＬＥＲ（ＴＢ）と同じである。
【００５２】
１）と３）を比較すると、１０％ＢＬＥＲでＢＧ２を使用した場合のパフォーマンスが約０．１ｄＢ低下している。ＢＬＥＲ１０＾−４では、パフォーマンス損失は約０．２２ｄＢである。
【００５３】
この問題が発生するのは、ＴＢＳを２つの短いコードブロックにセグメンテーションする必要があるＫmax2のすぐ上のＴＢＳだけではない。ＴＢＳ＝７８００およびＲ＝０．３２の別のケースを例２に示す。結果が図４に示される。
【００５４】
図４は、いくつかの実施形態による、ＴＢＳ＝７８００およびＲ＝０．３２についてのＢＧ１とＢＧ２との間のベースグラフパフォーマンス比較を示すグラフである。例１では、ＴＢＳは７８００、Ｒは０．３２である。グラフは、Ｋ＝ＴＢＳ＝７８００およびＲ＝０．３２のＢＧ１のＢＬＥＲと、Ｋ＝７８００／３＝２６００およびＲ＝０．３２のＢＧ２のＢＬＥＲと、を示している。ＴＢＳ＝７８００を達成するためのＫ＝２６００の３つのコードブロックの連結のＢＬＥＲは、ＢＬＥＲ（ＴＢ）＝１−（１−ＢＬＥＲ（１個のＣＢ））＾３で計算され、ＢＬＥＲ（１個のＣＢ）は２で与えられる。
【００５５】
１）と３）を比較すると、１％ＢＬＥＲでＢＧ２を使用した場合のパフォーマンスが約０．２４ｄＢ低下している。ＢＬＥＲ  １０＾−４では、パフォーマンス損失は約０．５ｄＢである。
【００５６】
ただし、他のシナリオでは、例３のように、ＢＧ１の代わりにＢＧ２を使用してコードブロックセグメンテーションを実行することで大きな利得を実現できる。例３の結果が図５に示される。
【００５７】
図５は、いくつかの実施形態による、ＴＢＳ＝４２２４０およびＲ＝０．１／５についてのＢＧ１とＢＧ２との間のベースグラフパフォーマンス比較を示すグラフである。例３では、ＴＢＳは４２２４０に等しく、Ｒ＝１／５である。グラフは、Ｋ＝８４４８およびＲ＝１／５（Ｒ＝１／３の後の繰り返し）のＢＧ１のＢＬＥＲと、Ｋ＝３８４０およびＲ＝１／５のＢＧ２のＢＬＥＲと、を示している。ＢＧ１の場合、５個のＣＢが必要である。プロットは、ＢＬＥＲ（５個のＣＢ）＝１−（１−ＢＬＥＲ（１個のＣＢ））＾５が含む。ここで、ＢＬＥＲ（１個のＣＢ）は１で与えられる。ＢＧ２では、１１個のＣＢが必要である。プロットは、ＢＬＥＲ（１１個のＣＢ）＝１−（１−ＢＬＥＲ（１個のＣＢ））＾１１を含む。ここで、ＢＬＥＲ（１個のＣＢ）は２）で与えられる。３）と４）を比較すると、１０％ＢＬＥＲで約０．３８ｄＢのパフォーマンス利得が示されている。
【００５８】
他の場合の損失を回避しながら、いくつかの場合の大きなパフォーマンス利得を活用するために、特定の実施形態は、ＢＧ１とＢＧ２の間で切り替えるための修正されたルールを含む。実施形態の第１のグループでは、ＣＢＳ＞Ｘまたは初期送信のコードレート＞ＹまたはＴＢＳ＞Ｘおよび初期送信のコードレート≧Ｒ_thresholdである場合、ＢＧ１は、初期送信および同じトランスポートブロックの後続の再送信に使用される。ＢＧ２は、ＣＢＳ≦Ｘおよび初期送信のコードレート≦Ｙまたは初期送信のコードレート＜Ｒ_thresholdの場合、初期送信および同じＴＢの後続の再送信に使用される。Ｒ_thresholdの値は１／３から１／５の間で、一般的な値はＲ_threshold＝１／４である。
【００５９】
初期送信のコードレートは、例えば、ダウンリンク制御情報（ＤＣＩ）を通じてシグナリングされるコードレートであり得る。コードブロックサイズはトランスポートブロックサイズに依存するため、上記の切り替えルールはコードブロックサイズではなくトランスポートブロックサイズのみを使用して記述され得る。たとえば、ＢＧ１は、初期送信のコードレート＞ＹまたはＴＢＳ＞Ｘおよび初期送信のコードレート≧Ｒ_thresholdの場合、初期送信および同じトランスポートブロックの後続の再送信に使用される。ＢＧ２は、ＴＢＳ≦Ｘおよび初期送信のコードレート≦Ｙまたは初期送信のコードレート＜Ｒ_thresholdの場合、初期送信および同じトランスポートブロックの後続の再送信に使用される。例が図６に示される。
【００６０】
図６は、特定の実施形態による、ベースグラフを選択する例示的な方法を示すフロー図である。ブロック図は、上記の実施形態の第１のグループで説明した方法を示している。例えば、ＴＢＳが閾値サイズＸ（例えば、３８４０ビット）よりも大きい場合、コーディングレートＲは、コーディングレート閾値Ｒ_threshold（例えば、１／４）と比較される。コーディングレートＲがコーディングレート閾値Ｒ_thresholdより小さい場合、ベースグラフ２が使用され、そうでない場合はベースグラフ１が使用される。
【００６１】
ＴＢＳが閾値サイズＸ以下の場合、コーディングレートはコーディングレート閾値Ｙ（２／３など）と比較される。コーディングレートが閾値Ｙより大きい場合、ベースグラフ１が使用され、そうでない場合はベースグラフ２が使用される。
【００６２】
実施形態の第２のグループでは、ベースグラフの選択は、トランスポートブロックサイズの制限をベースグラフ選択ルールに追加することにより、ＢＧ２を使用するときに必要なコードブロックの追加の数を考慮する。たとえば、ＢＧ１は、ＣＢＳ＞Ｘまたは初期送信のコードレート＞ＹまたはＴＢＳ＞Ｚおよび初期送信のコードレート＞Ｒ_thresholdの場合、初期送信および同じトランスポートブロックの後続の再送信に使用される。ＢＧ２は、ＣＢＳ≦Ｘおよび初期送信のコードレート≦Ｙまたは初期送信のコードレート≦Ｒ_thresholdの場合、初期送信および同じトランスポートブロックの後続の再送信に使用される。Ｒ_thresholdの値は１／３から１／５の間で、一般的な値はＲ_threshold＝１／４、Ｚ≧Ｘであり、Ｘは３８４０である。
【００６３】
実施形態の第３のグループでは、ベースグラフ選択に関する上記のルールは、以下のように定式化され得る。ＢＧ１は、ＣＢＳ＞Ｘまたは初期送信のコードレート＞ＹまたはＴＢＳ＞Ｚおよび初期送信のコードレート＞Ｒ_thresholdの場合、初期送信および同じトランスポートブロックの後続の再送信に使用される。ＢＧ２は他のすべての場合に使用される。
【００６４】
このように、実施形態の第１および第２グループで説明された選択ルールのそれぞれは、ＢＧ１が使用されるときのステートメントまたはＢＧ２が使用されるときのステートメントのいずれかを使用して２つの追加方法で説明できる。
【００６５】
実施形態の第４のグループでは、ベースグラフ選択ルールは、ＭＣＳおよびＴＢＳインデックスの観点から記述され得る。ＭＣＳおよびＴＢＳインデックスは、対応するＴＢＳおよび初期送信のコードレートに変換され、上記の選択ルールを適用できる。
【００６６】
実施形態の第５のグループでは、上述のようにベースグラフ選択ルールを定式化する代わりに、各ＭＣＳインデックスに対して特定のベースグラフを指定することができる。
【００６７】
実施形態の第６グループでは、各ＭＣＳインデックスのベースグラフを指定する代わりに、ＭＣＳインデックスが特定の値よりも小さい（または大きい）場合にＢＧ２を使用し、そうでない場合にＢＧ１を使用するルールを指定できる。ＢＧ２が使用されるＭＣＳインデックスの範囲も指定され得る。
【００６８】
実施形態の第７グループでは、ＭＣＳインデックスとＴＢＳの各組み合わせに対して特定のベースグラフを指定することができ、ＴＢＳは、送信中のＴＢＳインデックスと物理リソースブロック（ＰＲＢ）の数を通じて指定することができる。ＭＣＳインデックスとＴＢサイズの範囲の組み合わせに対して、特定のベースグラフを指定することもできる。
【００６９】
実施形態の第８グループでは、式がＴＢＳを決定するために使用される場合、ＢＧ２の選択は、ＴＢＳインデックスが使用される場合を除き、上記実施形態のいずれかと共にＴＢＳ入力として式の出力を使用できる。
【００７０】
特定の実施形態は、Ｒ_thresholdの決定を含み得る。Ｒ_threshold（１／５＜Ｒ_threshold＜１／３）の最適値は、シミュレーションにより見つけられ得る。シミュレーションでは以下を考慮し得る：（ａ）Ｒ＜１／３の場合にＢＧ２により高い符号化利得を与えるＢＧ２が設計されたより低いコードレートによって達成されるパフォーマンス利得；（ｂ）コードブロックサイズが短くなることによるＢＧ２使用のパフォーマンス低下；（ｃ）トランスポートブロックを複数のコードブロックに分割した結果であるトランスポートブロックＢＬＥＲの増大によるＢＧ２使用のパフォーマンス低下；（ｄ）ＢＧ２を使用するときにトランスポートブロックに必要なＣＲＣビットのより多い数。コードブロックのサイズに関係なく、各コードブロックに同じ数のＣＲＣビットが追加される。より小さいコードブロックを使用すると、コードブロックの数、したがってコードブロックＣＲＣビットの数が増える可能性がある。特定のトランスポートブロックサイズと送信帯域幅（ＰＲＢの数）に対して、付加されたＣＲＣビットの数が多いと、高いコードレートを使用する必要が生じ、パフォーマンスの低下につながる。
【００７１】
特定の実施形態は、制限バッファレートマッチング（ＬＢＲＭ）のためのベースグラフ選択を含む。一部のＵＥカテゴリでは、受信側のソフトバッファのサイズが制限されている場合があり、ＬＢＲＭが実行される。ソフトバッファが制限されている場合、送信側の循環バッファも制限する必要がある。これは、受信側のソフトバッファが処理できるコードレートが送信で超過しないようにするためである。
【００７２】
ＬＢＲＭが適用されると、ベースグラフ選択の上記の方法が変更される場合がある。実施形態の第９グループは、制限バッファを考慮する１つの方法を説明している。バッファサイズが制限されると、実効コードレート（ＬＤＰＣ符号化器および復号器で見られる）が、シグナリングされたコードレート（ダウンリンク制御情報で基地局からＵＥに送信される）を上回る。
【００７３】
実施形態の第９のグループでは、少なくともＬＢＲＭが適用されない場合、そのコードレートでサポートされるすべてのＴＢＳについてコードレートＲ＜Ｒ_thresholdで初期送信にＢＧ２が使用される。ＬＢＲＭが適用される場合、ｍａｘ（Ｒ、ＲLBRM,TBS,BG2）＜Ｒ_thresholdであればＢＧ２を使用する。ここで、ＲLBRM,TBS,BG2は、ＢＧ２を使用するときにＴＢＳでサポートされる最小レートである。Ｒ_threshold＜１／３。
【００７４】
コードブロックセグメンテーションが異なる数のＣＢをもたらし、それにより異なる数のＣＢ  ＣＲＣビットが付加される場合、ＢＧ１とＢＧ２でサポートされる最低のＬＢＲＭレートは異なる場合がある。ＲLBRM,TBS,BG1＝（ＴＢＳ＋ＬTB,CRC＋ＣBG1＊ＬCB,CRC）／Ｂ。ＲLBRM,TBS,BG2＝（ＴＢＳ＋ＬTB,CRC＋ＣBG2＊ＬCB,CRC）／Ｂ。近似値はＲLBRM,TBS≒ＴＢＳ／Ｂである。Ｃは、トランスポートブロックがセグメントテーションされるコードブロックの数であり、Ｂはビット単位の合計ソフトバッファサイズである。
【００７５】
上記の実施形態１〜７のすべてのグループは、更新された選択ルール「ｍａｘ（Ｒ、ＲLBRM,TBS,BG2）＜Ｒ_threshold」を含むように書き換えられ、それによりＬＢＲＭにも適用可能である。
【００７６】
いくつかの実施形態では、Ｒinitは、ＬＢＲＭを適用した後（適用される場合）のコードレートを示す。Ｒinitは、トランスポートブロックの初期送信時の実効コードレートである。実効コードレートは、実効コードレートを決定するさまざまな要因を考慮した後、ＬＤＰＣ符号化器と復号器の実行に使用されるコードレートである。そのような要因には、少なくとも以下を含む：（ａ）トランスポートブロックの送信をスケジュールするための制御情報で通知される公称コードレート；（ｂ）制限バッファレートマッチング。Ｒinitは、アップリンクトランスポートブロック送信とダウンリンクトランスポートブロック送信の両方に適用される。
【００７７】
たとえば、コードレートＲinit＞１／４の初期送信の場合（特定の実施形態では異なるレートを選択できる）、ＢＧ２はＴＢＳ＞３８２４の場合は使用されない。特定の実施形態では、ＵＥがＢＧ１をサポートする場合（つまり、ＵＥがＢＧ１をサポートしていないためルールが適用されない）のみ、前のルールが適用される。ＢＧ２は、コードレートＲinit≦１／４の初期送信に使用され、たとえば、そのコードレートでサポートされるすべてのＴＢＳに使用される。ＴＢＳが３８２４を超えるＢＧ２の場合、ＴＢは３８４０以下のＣＢにセグメンテーションされる。
【００７８】
図７は、特定の実施形態による、無線送信機における例示的な方法を示すフロー図である。特定の実施形態において、図７の１つまたは複数のステップは、図２に関して説明されたネットワーク１００のネットワークノード１２０または無線デバイス１１０によって実行され得る。
【００７９】
この方法はステップ７１２で始まり、無線送信機は、トランスポートブロックサイズおよび／またはコードレートに基づいてベースグラフ１またはベースグラフ２を選択する。例えば、ネットワークノード１２０は、トランスポートブロックを送信するためのコードレートがＲ_threshold以下である（Ｒ_thresholdは１／５から１／３の間である）と判断し、トランスポートブロックを符号化するためのＮＲのＬＤＰＣベースグラフ２を選択することができる。そうでない場合、ネットワークノード１２０は、トランスポートブロックのＴＢＳがサイズ閾値（Ｘ）以下であり、トランスポートブロックを送信するためのコードレートが２／３以下（この場合、ネットワークノード１２０はベースグラフ２を選択し得る）でない限り、トランスポートブロックの符号化のためにＮＲのＬＤＰＣベースグラフ１を選択する。いくつかの実施形態では、無線送信機は、図６に示されるフローチャートに基づいてベースグラフを選択し得る。
【００８０】
特定の実施形態では、Ｒ_thresholdは１／４である。サイズ閾値Ｘは３８２４ビットであるか、ＴＢＳがパリティチェックビットを含む場合、サイズ閾値Ｘは３８４０ビットであり得る。トランスポートブロックのＴＢＳおよびコードレートは、ＭＣＳおよびトランスポートブロックに関連付けられたＴＢＳインデックスに基づいて決定される。無線送信機は、無線受信機がＬＢＲＭを使用するかどうかに基づいてコードレートを調整する。
【００８１】
ステップ７１４で、無線送信機は、選択されたベースグラフを使用してトランスポートブロックを符号化する。例えば、ネットワークノード１２０は、ベースグラフ１またはベースグラフ２のいずれかを使用してトランスポートブロックをＬＤＰＣエンコードし得る。
【００８２】
ステップ７１６で、無線送信機は、符号化されたトランスポートブロックを無線受信機に送信する。たとえば、ネットワークノード１２０は、ＬＤＰＣ符号化トランスポートブロックを無線デバイス１１０に送信し得る。
【００８３】
図７の方法７００に対して修正、追加、または省略を行うことができる。さらに、図７の方法の１つまたは複数のステップを並行して、または任意の適切な順序で実行することができる。必要に応じて、時間をかけて手順を繰り返すことができる。上記の例ではネットワークノード１２０が無線送信機の例として使用され、無線デバイス１１０が無線受信機の例として使用されているが、他の例では無線デバイス１１０が無線送信機であり、ネットワークノード１２０が無線受信機であり得る。
【００８４】
図８は、特定の実施形態による、無線受信機における例示的な方法を示すフロー図である。特定の実施形態では、図２に関して説明したネットワーク１００のネットワークノード１２０または無線デバイス１１０によって、図８の１つまたは複数のステップを実行され得る。
【００８５】
この方法はステップ８１２で始まり、ここで無線受信機は、無線送信機から符号化されたトランスポートブロックを受信する。例えば、無線デバイス１１０は、ネットワークノード１２０からＬＤＰＣ符号化トランスポートブロックを受信し得る。トランスポートブロックは、図７に関して説明された方法７００に従って符号化され得る。
【００８６】
ステップ８１４で、無線受信機は、トランスポートブロックサイズおよび／またはコードレートに基づいてベースグラフ１またはベースグラフ２を選択する。例えば、無線デバイス１１０は、トランスポートブロックを受信するためのコードレートがＲ_threshold以下である（Ｒ_thresholdは１／５から１／３の間である）と判断し、トランスポートブロックを復号するためのＮＲのＬＤＰＣベースグラフ２を選択し得る。そうでない場合、トランスポートブロックのＴＢＳがサイズ閾値（Ｘ）以下であり、トランスポートブロックを受信するためのコードレートが２／３以下（この場合、無線デバイス１１０はベースグラフ２を選択し得る）でない限り、無線デバイス１１０はトランスポートブロックを復号するためにＮＲのＬＤＰＣベースグラフ１を選択する。いくつかの実施形態では、無線受信機は、図６に示されるフローチャートに基づいてベースグラフを選択し得る。
【００８７】
特定の実施形態では、Ｒ_thresholdは１／４である。サイズ閾値Ｘは３８２４ビットであるか、ＴＢＳがパリティチェックビットを含む場合、サイズ閾値Ｘは３８４０ビットであり得る。トランスポートブロックのＴＢＳおよびコードレートは、ＭＣＳおよびトランスポートブロックに関連付けられたＴＢＳインデックスに基づいて決定される。無線受信機は、ＬＢＲＭを使用するかどうかに基づいてコードレートを調整できる。
【００８８】
ステップ８１６で、無線受信機は、選択されたベースグラフを使用してトランスポートブロックを復号する。例えば、無線デバイス１１０は、ベースグラフ１またはベースグラフ２のいずれかを使用してトランスポートブロックをＬＤＰＣ復号し得る。
【００８９】
図８の方法８００に対して修正、追加、または省略を行うことができる。さらに、図８の方法の１つまたは複数のステップを並行して、または任意の適切な順序で実行することができる。必要に応じて、時間をかけて手順を繰り返すことができる。上記の例ではネットワークノード１２０が無線送信機の例として使用され、無線デバイス１１０が無線受信機の例として使用されているが、他の例では無線デバイス１１０が無線送信機であり、ネットワークノード１２０が無線受信機であり得る。
【００９０】
図９Ａは、無線デバイスの例示的な実施形態を示すブロック図である。無線デバイスは、図２に示される無線デバイス１１０の例である。特定の実施形態では、無線デバイスは、無線信号を符号化または復号するための２つのベースグラフの１つを選択することができる。
【００９１】
無線デバイスの特定の例には、携帯電話、スマートフォン、ＰＤＡ（Personal Digital Assistant）、ポータブルコンピュータ（ラップトップ、タブレットなど）、センサ、モデム、マシンタイプ（ＭＴＣ）デバイス／マシンツーマシン（Ｍ２Ｍ）デバイス、ラップトップ組込機器（ＬＥＥ）、ラップトップ搭載機器（ＬＭＥ）、ＵＳＢドングル、デバイスツーデバイス可能デバイス、車車間デバイス、または無線通信を提供できるその他のデバイス、が含まれる。無線デバイスは、送受信機１３１０、処理回路１３２０、メモリ１３３０、および電源１３４０を含む。いくつかの実施形態では、送受信機１３１０は、無線ネットワークノード１２０への無線信号の送信および無線ネットワークノード１２０からの無線信号の受信を（例えば、アンテナを介して）容易にし、処理回路１３２０は、無線デバイスによって提供される本明細書で説明される機能の一部またはすべてを提供するための命令を実行し、メモリ１３３０は、処理回路１３２０によって実行される命令を格納する。電源１３４０は、送受信機１３１０、処理回路１３２０、および／またはメモリ１３３０など、無線デバイス１１０のコンポーネントの１つ以上に電力を供給する。
【００９２】
処理回路１３２０は、命令を実行し、データを操作して無線装置の記載された機能の一部または全部を実行するために１つ以上の集積回路またはモジュールに実装されるハードウェアおよびソフトウェアの適切な組み合わせを含む。いくつかの実施形態では、処理回路１３２０は、例えば、１つ以上のコンピュータ、１つ以上のプログラマブルロジックデバイス、１つ以上の中央処理装置（ＣＰＵ）、１つ以上のマイクロプロセッサ、１つ以上のアプリケーション、および／または他のロジック、および／または前述の適切な組み合わせ、を含み得る。処理回路１３２０は、無線デバイス１１０の記載された機能の一部またはすべてを実行するように構成されたアナログおよび／またはデジタル回路を含み得る。例えば、処理回路１３２０は、抵抗器、コンデンサ、インダクタ、トランジスタ、ダイオード、および／または任意の他の適切な回路コンポーネントを含み得る。
【００９３】
メモリ１３３０は一般に、コンピュータ実行可能コードおよびデータを格納するように動作可能である。メモリ１３３０の例は、コンピュータメモリ（例えば、ランダムアクセスメモリ（ＲＡＭ）または読み取り専用メモリ（ＲＯＭ））、大容量記憶媒体（例えば、ハードディスク）、取り外し可能な記憶媒体（例えば、コンパクトディスク（ＣＤ）またはデジタルビデオディスク（ＤＶＤ））、および／または情報を格納するその他の揮発性または不揮発性、非一時的なコンピュータ読み取り可能および／またはコンピュータ実行可能メモリデバイスを含む。
【００９４】
電源１３４０は、一般に、無線装置１１０のコンポーネントに電力を供給するように動作可能である。電源１３４０は、リチウムイオン、リチウムエアー、リチウムポリマー、ニッケルカドミウム、ニッケル金属水素化物、または無線デバイスに電力を供給するための他の任意の適切なタイプのバッテリーを含み得る。
【００９５】
無線デバイスの他の実施形態は、上記の機能および／または追加の機能（上記の解決策をサポートするために必要な機能を含む）を含む、無線デバイスの機能の特定の側面を提供する役割を担う追加のコンポーネント（図９Ａに示されているもの以外）を含み得る。
【００９６】
図９Ｂは、無線デバイス１１０の例示的なコンポーネントを示すブロック図である。コンポーネントは、符号化モジュール１３５０、送信モジュール１３５２、復号モジュール１３５４、および受信モジュール１３５６を含み得る。
【００９７】
符号化モジュール１３５０は、無線デバイス１１０の符号化機能を実行し得る。例えば、符号化モジュール１３５０は、上記の例および実施形態のいずれかに従って２つの可能なベースグラフの１つを使用してトランスポートブロックを符号化し得る。特定の実施形態では、符号化モジュール１３５０は、処理回路１３２０を含むか、それに含まれ得る。特定の実施形態では、符号化モジュール１３５０は、送信モジュール１３５２と通信し得る。
【００９８】
送信モジュール１３５２は、無線デバイス１１０の送信機能を実行し得る。例えば、送信モジュール１３５２は、トランスポートブロックをネットワークノードに送信し得る。特定の実施形態では、送信モジュール１３５２は、処理回路１３２０を含むか、それに含まれ得る。特定の実施形態では、送信モジュール１３５２は、符号化モジュール１３５０と通信し得る。
【００９９】
復号モジュール１３５４は、無線デバイス１１０の復号機能を実行し得る。例えば、復号モジュール１３５４は、上記の例および実施形態のいずれかに従って、２つの可能なベースグラフの１つを使用してトランスポートブロックを復号し得る。特定の実施形態では、復号化モジュール１３５４は、処理回路１３２０を含むか、それに含まれ得る。特定の実施形態では、復号化モジュール１３５４は、受信モジュール１３５６と通信し得る。
【０１００】
受信モジュール１３５６は、無線デバイス１１０の受信機能を実行し得る。例えば、受信モジュール１３５６は、ネットワークノードからトランスポートブロックを受信し得る。特定の実施形態では、受信モジュール１３５６は、処理回路１３２０を含むか、それに含まれ得る。特定の実施形態では、受信モジュール１３５６は、復号モジュール１３５４と通信し得る。
【０１０１】
図１０Ａは、ネットワークノードの例示的な実施形態を示すブロック図である。ネットワークノードは、図２に示すネットワークノード１２０の一例である。特定の実施形態では、ネットワークノードは、無線信号を符号化または復号するための２つのベースグラフの１つを選択することができる。
【０１０２】
ネットワークノード１２０は、ｅノードＢ、ノードＢ、ｇＮＢ、基地局、無線アクセスポイント（例えば、Ｗｉ−Ｆｉアクセスポイント）、低電力ノード、基地送受信局（ＢＴＳ）、送信ポイント、またはノード、リモートＲＦユニット（ＲＲＵ）、リモートラジオヘッド（ＲＲＨ）、またはその他の無線アクセスノードであり得る。ネットワークノードは、少なくとも１つの送受信機１４１０、少なくとも１つの処理回路１４２０、少なくとも１つのメモリ１４３０、および少なくとも１つのネットワークインターフェース１４４０を含む。送受信機１４１０は、無線デバイス１１０などの無線デバイスへの無線信号の送受信を（たとえば、アンテナを介して）容易にし、処理回路１４２０は、命令を実行して、ネットワークノード１２０によって提供されるものとして上述した機能の一部またはすべてを提供し、メモリ１４３０は、処理回路１４２０によって実行される命令を格納し、ネットワークインターフェース１４４０は、ゲートウェイ、スイッチ、ルータ、インターネット、公衆交換電話網（ＰＳＴＮ）、コントローラ、および／または他のネットワークノード１２０などのバックエンドネットワークコンポーネントに信号を通信する。処理回路１４２０およびメモリ１４３０は、上記の図９Ａの処理回路１３２０およびメモリ１３３０に関して説明したものと同じタイプであり得る。
【０１０３】
いくつかの実施形態では、ネットワークインターフェース１４４０は、処理回路１４２０に通信可能に結合され、ネットワークノード１２０の入力を受信し、ネットワークノード１２０から出力を送信し、入力または出力またはその両方の適切な処理を実行し、他と通信するように動作可能な任意の適切なデバイスを指すデバイス、または上記の任意の組み合わせである。ネットワークインターフェース１４４０は、ネットワークを介して通信するための適切なハードウェア（例えば、ポート、モデム、ネットワークインターフェースカードなど）およびプロトコル変換およびデータ処理機能を含むソフトウェアを含む。
【０１０４】
図１０Ｂは、ネットワークノード１２０の例示的なコンポーネントを示すブロック図である。コンポーネントは、符号化モジュール１４５０、送信モジュール１４５２、復号モジュール１４５４、および受信モジュール１４５６を含み得る。
【０１０５】
符号化モジュール１４５０は、ネットワークノード１２０の符号化機能を実行し得る。例えば、符号化モジュール１４５０は、上記の例および実施形態のいずれかに従って２つの可能なベースグラフの１つを使用してトランスポートブロックを符号化し得る。特定の実施形態では、符号化モジュール１４５０は、処理回路１４２０を含むか、それに含まれ得る。特定の実施形態では、符号化モジュール１４５０は、送信モジュール１４５２と通信し得る。
【０１０６】
送信モジュール１４５２は、ネットワークノード１２０の送信機能を実行し得る。例えば、送信モジュール１４５２は、トランスポートブロックを無線デバイスに送信し得る。特定の実施形態では、送信モジュール１４５２は、処理回路１４２０を含むか、処理回路１４２０に含まれ得る。特定の実施形態では、送信モジュール１４５２は、符号化モジュール１４５０と通信し得る。
【０１０７】
復号モジュール１４５４は、ネットワークノード１２０の復号機能を実行し得る。例えば、復号モジュール１４５４は、上記の例および実施形態のいずれかに従って、２つの可能なベースグラフの１つを使用してトランスポートブロックを復号し得る。特定の実施形態では、復号モジュール１４５４は、処理回路１４２０を含むか、処理回路１４２０に含まれ得る。特定の実施形態では、復号モジュール１４５４は、受信モジュール１４５６と通信し得る。
【０１０８】
受信モジュール１４５６は、ネットワークノード１２０の受信機能を実行し得る。例えば、受信モジュール１４５６は、無線デバイスからトランスポートブロックを受信し得る。特定の実施形態では、受信モジュール１４５６は、処理回路１４２０を含むか、それに含まれ得る。特定の実施形態では、受信モジュール１４５６は、復号モジュール１４５４と通信し得る。
【０１０９】
本発明の範囲から逸脱することなく、本明細書に開示されたシステムおよび装置に対して、修正、追加、または省略を行うことができる。システムおよび装置のコンポーネントは、統合または分離され得る。さらに、システムおよび装置の動作は、より多く／より少なくあり得、または他のコンポーネントによって実行され得る。さらに、システムおよび装置の動作は、ソフトウェア、ハードウェア、および／または他のロジックを含む任意の適切なロジックを使用して実行され得る。このドキュメントで使用されている「各(each)」とは、セットの各メンバーまたはセットのサブセットの各メンバーを指す。
【０１１０】
本発明の範囲から逸脱することなく、本明細書に開示された方法に対して、修正、追加、または省略を行うことができる。方法は、より多く／より少なくあり得、または他のステップが含まれる場合がある。さらに、ステップは任意の適切な順序で実行できる。
【０１１１】
本開示は、特定の実施形態に関して説明されてきたが、実施形態の変更および置換は、当業者には明らかであろう。したがって、実施形態の上記の説明は、本開示を制約しない。以下の特許請求の範囲によって定義されるように、本開示の精神および範囲から逸脱することなく、他の変更、置換、および変更が可能である。
【０１１２】
前述の説明で使用された略語は以下を含む：
３ＧＰＰ  第３世代パートナーシッププロジェクト
ＢＢＵ  ベースバンドユニット
ＢＧ  ベースグラフ
ＢＴＳ  基地送受信局
ＣＢ  コードブロック
ＣＢＳ  コードブロックサイズ
ＣＣ  コンポーネントキャリア
ＣＲＣ  巡回冗長検査
ＣＱＩ  チャネル品質情報
ＣＳＩ  チャネル状態情報
Ｄ２Ｄ  デバイスツーデバイス
ＤＣＩ  ダウンリンク制御情報
ＤＦＴ  離散フーリエ変換
ＤＭＲＳ  復調参照信号
ｅＮＢ  ｅＮｏｄｅＢ
ＦＤＤ  周波数分割複信
ＦＦＴ  高速フーリエ変換
ｇＮＢ  次世代ＮｏｄｅＢ
ＬＡＡ  ライセンスアシストアクセス
ＬＢＴ  リッスンビフォアトーク
ＬＤＰＣ  低密度パリティチェック
ＬＴＥ  ロングタームエボリューション
ＬＴＥ−Ｕ  アンライセンススペクトルのＬＴＥ
Ｍ２Ｍ  マシンツーマシン
ＭＣＳ  変調および符号化スキーム
ＭＩＢ  マスタ情報ブロック
ＭＩＭＯ  多入力多出力
ＭＴＣ  マシンタイプ通信
ＮＲ  ニューラジオ
ＯＦＤＭ  直交周波数分割多重
ＰＣＭ  パリティ検査行列
ＲＡＮ  ラジオアクセスネットワーク
ＲＡＴ  無線アクセス技術
ＲＢＳ  無線基地局
ＲＮＣ  無線ネットワークコントローラ
ＲＲＣ  無線リソース制御
ＲＲＨ  リモートラジオヘッド
ＲＲＵ  リモートラジオユニット
ＳＣｅｌｌ  ２次セル
ＳＩ  システム情報
ＳＩＢ  システム情報ブロック
ＴＢ  トランスポートブロック
ＴＢＳ  トランスポートブロックサイズ
ＴＤＤ  時分割複信
ＴＴＩ  送信時間間隔
ＵＥ  ユーザ装置
ＵＬ  アップリンク
ＵＴＲＡＮ  ユニバーサル地上無線アクセスネットワーク
ＷＡＮ  無線アクセスネットワーク
【図１】
2020532160.tif 000003
【図２】
2020532160.tif 000004
【図３】
2020532160.tif 000005
【図４】
2020532160.tif 000006
【図５】
2020532160.tif 000007
【図６】
2020532160.tif 000008
【図７】
2020532160.tif 000009
【図８】
2020532160.tif 000010
【図９Ａ】
2020532160.tif 000011
【図９Ｂ】
2020532160.tif 000012
【図１０Ａ】
2020532160.tif 000013
【図１０Ｂ】
2020532160.tif 000014
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
トランスポートブロックを符号化する無線通信ネットワークの無線送信機で使用する方法であって、
トランスポートブロックを送信するためのコードレートが１／４以下であると判断するか、または、前記トランスポートブロックのトランスポートブロックサイズ（ＴＢＳ）が３８２４ビット以下かつ前記トランスポートブロックを送信するためのコードレートが２／３以下であると判断すると、前記トランスポートブロックを符号化するためのニューラジオ（ＮＲ）低密度パリティチェック（ＬＤＰＣ）のベースグラフ２を選択することと、
前記ＴＢＳが３８２４ビットより大きくかつ前記トランスポートブロックを送信するためのコードレートが１／４より大きいと判断すると、前記トランスポートブロックを符号化するためのＮＲ  ＬＤＰＣのベースグラフ１を選択することと、
前記選択されたベースグラフを使用して前記トランスポートブロックを符号化することと、
前記符号化されたトランスポートブロックを無線受信機に送信することと、
を含む方法。
【請求項２】
サイズ閾値Ｘは３８２４ビットである
請求項１に記載の方法。
【請求項３】
前記ＴＢＳはパリティチェックビットを含み、サイズ閾値Ｘは３８４０ビットである
請求項１または２に記載の方法。
【請求項４】
前記トランスポートブロックの前記ＴＢＳおよび前記コードレートは、前記トランスポートブロックに関連する変調および符号化スキーム（ＭＣＳ）とＴＢＳインデックスとに基づいて決定される
請求項１乃至３の何れか１項に記載の方法。
【請求項５】
ベースグラフ１またはベースグラフ２を選択する前に、前記無線受信機により使用される制限バッファレートマッチング（ＬＢＲＭ）を決定し、ＬＢＲＭに従って前記コードレートを調整することをさらに含む
請求項１乃至４の何れか１項に記載の方法。
【請求項６】
トランスポートブロックを符号化するよう動作可能な無線送信機であって、該無線送信機は、
トランスポートブロックを送信するためのコードレートが１／４以下であると判断するか、または、前記トランスポートブロックのトランスポートブロックサイズ（ＴＢＳ）が３８２４ビット以下かつ前記トランスポートブロックを送信するためのコードレートが２／３以下であると判断すると、前記トランスポートブロックを符号化するためのニューラジオ（ＮＲ）低密度パリティチェック（ＬＤＰＣ）のベースグラフ２を選択し、
前記ＴＢＳが３８２４ビットより大きくかつ前記トランスポートブロックを送信するためのコードレートが１／４より大きいと判断すると、前記トランスポートブロックを符号化するためのＮＲ  ＬＤＰＣのベースグラフ１を選択し、
前記選択されたベースグラフを使用して前記トランスポートブロックを符号化し、
前記符号化されたトランスポートブロックを無線受信機に送信する、
よう動作可能な処理回路を有する
無線送信機。
【請求項７】
サイズ閾値Ｘは３８２４ビットである
請求項６に記載の無線送信機。
【請求項８】
前記ＴＢＳはパリティチェックビットを含み、サイズ閾値Ｘは３８４０ビットである
請求項６または７に記載の無線送信機。
【請求項９】
前記トランスポートブロックの前記ＴＢＳおよび前記コードレートは、前記トランスポートブロックに関連する変調および符号化スキーム（ＭＣＳ）とＴＢＳインデックスとに基づいて決定される
請求項６乃至８の何れか１項に記載の無線送信機。
【請求項１０】
前記処理回路は、ベースグラフ１またはベースグラフ２を選択する前に、前記無線受信機により使用される制限バッファレートマッチング（ＬＢＲＭ）を決定し、ＬＢＲＭに従って前記コードレートを調整するようさらに動作可能である
請求項６乃至９の何れか１項に記載の無線送信機。
【請求項１１】
トランスポートブロックを復号する無線通信ネットワークの無線受信機で使用する方法であって、
符号化されたトランスポートブロックを無線送信機から受信することと、
前記トランスポートブロックを受信するためのコードレートが１／４以下であると判断するか、または、前記トランスポートブロックのトランスポートブロックサイズ（ＴＢＳ）が３８２４ビット以下かつ前記トランスポートブロックを受信するためのコードレートが２／３以下であると判断すると、前記受信されたトランスポートブロックを復号するためのニューラジオ（ＮＲ）低密度パリティチェック（ＬＤＰＣ）のベースグラフ２を選択することと、
前記ＴＢＳが３８２４ビットより大きくかつ前記トランスポートブロックを受信するためのコードレートが１／４より大きいと判断すると、前記トランスポートブロックを復号するためのＮＲ  ＬＤＰＣのベースグラフ１を選択することと、
前記選択されたベースグラフを使用して前記トランスポートブロックを復号することと、
を含む方法。
【請求項１２】
サイズ閾値Ｘは３８２４ビットである
請求項１１に記載の方法。
【請求項１３】
前記ＴＢＳはパリティチェックビットを含み、サイズ閾値Ｘは３８４０ビットである
請求項１１または１２に記載の方法。
【請求項１４】
前記トランスポートブロックの前記ＴＢＳおよび前記コードレートは、前記トランスポートブロックに関連する変調および符号化スキーム（ＭＣＳ）とＴＢＳインデックスとに基づいて決定される
請求項１１乃至１３の何れか１項に記載の方法。
【請求項１５】
ベースグラフ１またはベースグラフ２を選択する前に、前記無線受信機により使用される制限バッファレートマッチング（ＬＢＲＭ）を決定し、ＬＢＲＭに従って前記コードレートを調整することをさらに含む
請求項１１乃至１４の何れか１項に記載の方法。
【請求項１６】
トランスポートブロックを復号するよう動作可能な無線受信機であって、該無線受信機は、
符号化されたトランスポートブロックを無線送信機から受信し、
前記トランスポートブロックを受信するためのコードレートが１／４以下であると判断するか、または、前記トランスポートブロックのトランスポートブロックサイズ（ＴＢＳ）が３８２４ビット以下かつ前記トランスポートブロックを受信するためのコードレートが２／３以下であると判断すると、前記トランスポートブロックを復号するためのニューラジオ（ＮＲ）低密度パリティチェック（ＬＤＰＣ）のベースグラフ２を選択し、
前記ＴＢＳが３８２４ビットより大きくかつ前記トランスポートブロックを受信するためのコードレートが１／４より大きいと判断すると、前記トランスポートブロックを復号するためのＮＲ  ＬＤＰＣのベースグラフ１を選択し、
前記選択されたベースグラフを使用して前記トランスポートブロックを復号する、
よう動作可能な処理回路を有する
無線受信機。
【請求項１７】
サイズ閾値Ｘは３８２４ビットである
請求項１６に記載の無線受信機。
【請求項１８】
前記ＴＢＳはパリティチェックビットを含み、サイズ閾値Ｘは３８４０ビットである
請求項１６または１７に記載の無線受信機。
【請求項１９】
前記トランスポートブロックの前記ＴＢＳおよび前記コードレートは、前記トランスポートブロックに関連する変調および符号化スキーム（ＭＣＳ）とＴＢＳインデックスとに基づいて決定される
請求項１６乃至１８の何れか１項に記載の無線受信機。
【請求項２０】
前記処理回路は、ベースグラフ１またはベースグラフ２を選択する前に、前記無線受信機により使用される制限バッファレートマッチング（ＬＢＲＭ）を決定し、ＬＢＲＭに従って前記コードレートを調整するようさらに動作可能である
請求項１６乃至１９の何れか１項に記載の無線受信機。
【請求項２１】
トランスポートブロックを符号化するよう動作可能な無線送信機であって、該無線送信機は、符号化モジュールと送信モジュールと、を含み、
前記符号化モジュールは、
トランスポートブロックを送信するためのコードレートが１／４以下であると判断するか、または、前記トランスポートブロックのトランスポートブロックサイズ（ＴＢＳ）が３８２４ビット以下かつ前記トランスポートブロックを送信するためのコードレートが２／３以下であると判断すると、前記トランスポートブロックを符号化するためのニューラジオ（ＮＲ）低密度パリティチェック（ＬＤＰＣ）のベースグラフ２を選択し、
前記ＴＢＳが３８２４ビットより大きくかつ前記トランスポートブロックを送信するためのコードレートが１／４より大きいと判断すると、前記トランスポートブロックを符号化するためのＮＲ  ＬＤＰＣのベースグラフ１を選択し、
前記選択されたベースグラフを使用して前記トランスポートブロックを符号化する、
よう動作可能であり、
前記送信モジュールは、前記符号化されたトランスポートブロックを無線受信機に送信する、
よう動作可能である
無線送信機。
【請求項２２】
トランスポートブロックを復号するよう動作可能な無線受信機であって、該無線受信機は、復号モジュールと受信モジュールと、を含み、
前記受信モジュールは、符号化されたトランスポートブロックを無線送信機から受信する、
よう動作可能であり、
前記復号モジュールは、
前記トランスポートブロックを受信するためのコードレートが１／４以下であると判断するか、または、前記トランスポートブロックのトランスポートブロックサイズ（ＴＢＳ）が３８２４ビット以下かつ前記トランスポートブロックを受信するためのコードレートが２／３以下であると判断すると、前記トランスポートブロックを復号するためのニューラジオ（ＮＲ）低密度パリティチェック（ＬＤＰＣ）のベースグラフ２を選択し、
前記ＴＢＳが３８２４ビットより大きくかつ前記トランスポートブロックを受信するためのコードレートが１／４より大きいと判断すると、前記トランスポートブロックを復号するためのＮＲ  ＬＤＰＣのベースグラフ１を選択し、
前記選択されたベースグラフを使用して前記トランスポートブロックを復号する、
よう動作可能である
無線受信機。
【国際調査報告】
2020532160.tif 000015
2020532160.tif 000016
2020532160.tif 000017
2020532160.tif 000018